(57)【要約】【課題】操作性に優れ、使い勝手のよいレンズキャップおよびこのようなレンズキャップを備えた撮影装置を提供する。【解決手段】レンズキャップ２８は、撮影装置の鏡筒の先端部に着脱可能に取着される基部３０と、撮影装置の撮影レンズを覆う閉塞位置と撮影レンズを開放する開放位置との間を揺動できるように基部３０に連結された蓋板３２とを備えている。基部３０は、鏡筒２４の先端部に取着される枠部３００２と、基部側ヒンジ部３００４と、凸片部３００６と、第１係合部３００８と、３つの係合片を有している。蓋板３２は、蓋板本体３２０２と、蓋板側ヒンジ部３２０４と、指掛け部３２０６と、第２係合部３２０８とを有している。蓋板３２は蓋板ヒンジ部３２０４、基部側ヒンジ部３００４、支軸３００１を介して基部３０に揺動可能に連結される。【選択図】        図１
2004205923.tif 000002
【特許請求の範囲】
【請求項１】
撮影装置の鏡筒内に配設された撮影レンズを保護するレンズキャップであって、
前記鏡筒の先端部に着脱可能に取着される基部と、前記撮影レンズを覆う閉塞位置と前記撮影レンズを開放する開放位置との間を揺動できるように前記基部に連結された蓋板とを備え、
前記基部は、前記鏡筒の先端部に取着される枠部と、前記枠部の一側に形成された基部側ヒンジ部と、前記枠部の他側に形成され前記枠部が前記鏡筒の先端部に取着された状態で前記鏡筒の外周面上で後端側に延在する凸片部と、前記凸片部に形成された第１係合部とを有し、
前記蓋板は、前記撮影レンズを覆う形状の蓋板本体と、前記蓋板本体の一側に形成され前記基部側ヒンジ部に揺動可能に連結される蓋板側ヒンジ部と、前記蓋板本体が前記閉塞位置に揺動した状態で前記凸片部に対応する蓋板本体箇所に形成され前記鏡筒の半径方向の外方に突出する指掛け部と、前記指掛け部に形成され前記蓋板本体が前記閉塞位置に揺動した状態で前記第１係合部に係合する第２係合部とを有し、
前記第１係合部と第２係合部は、前記開放位置から前記蓋板を揺動させ指により前記蓋板を前記全閉位置に押し込むことで係合し、前記全閉位置から前記蓋板を指により前記開放位置方向へ揺動させることにより係合が解除されるように構成され、
前記蓋板は少なくとも前記開放位置において指により揺動できる程度の力で該蓋板の開度が保持されるように構成されている、
ことを特徴とする撮影装置用のレンズキャップ。
【請求項２】
撮影レンズが配設された鏡筒と、
前記撮影レンズを保護するレンズキャップとを備え、
前記レンズキャップは、前記鏡筒の先端部に着脱可能に取着される基部と、前記撮影レンズを覆う閉塞位置と前記撮影レンズを開放する開放位置との間を揺動できるように前記基部に連結された蓋板とを備え、
前記基部は、前記鏡筒の先端部に取着される枠部と、前記枠部の一側に形成された基部側ヒンジ部と、前記枠部の他側に形成され前記枠部が前記鏡筒の先端部に取着された状態で前記鏡筒の外周面上で後端側に延在する凸片部と、前記凸片部に形成された第１係合部とを有し、
前記蓋板は、前記撮影レンズを覆う形状の蓋板本体と、前記蓋板本体の一側に形成され前記基部側ヒンジ部に揺動可能に連結される蓋板側ヒンジ部と、前記蓋板本体が前記閉塞位置に揺動した状態で前記凸片部に対応する蓋板本体箇所に形成され前記鏡筒の半径方向の外方に突出する指掛け部と、前記指掛け部に形成され前記蓋板本体が前記閉塞位置に揺動した状態で前記第１係合部に係合する第２係合部とを有し、
前記第１係合部と第２係合部は、前記開放位置から前記蓋板を揺動させ指により前記蓋板を前記全閉位置に押し込むことで係合し、前記全閉位置から前記蓋板を指により前記開放位置方向へ揺動させることにより係合が解除されるように構成され、
前記蓋板は少なくとも前記開放位置において指により揺動できる程度の力で該蓋板の開度が保持されるように構成されている、
ことを特徴とする撮影装置。
【請求項３】
前記鏡筒の外周面には、該鏡筒の周方向に延在する環状溝が形成され、前記枠部には、前記鏡筒の前端面に当接する当接部と、前記当接部から突設され該当接部が前記鏡筒の前端面に当接した状態で前記環状溝に係合する複数の係合片が設けられ、前記枠部の前記鏡筒先端部への取着は、前記当接部を前記鏡筒の前端面に当接させ、前記複数の係合片を前記環状溝に係合させることで行なわれることを特徴とする請求項１記載のレンズキャップまたは請求項２記載の撮影装置。
【請求項４】
前記枠部は環状を呈し、前記凸片部は、前記枠部が前記鏡筒の先端部に取着された状態で前記鏡筒の後端側に円弧状に突出形成されていることを特徴とする請求項１記載のレンズキャップまたは請求項２記載の撮影装置。
【請求項５】
前記蓋板本体は、円盤状に形成され、前記指掛け部は前記蓋板本体の外周から該蓋板本体の周方向外方に円弧状に突出され、前記第２係合部は前記指掛け部が前記鏡筒の前端に臨む面から前記鏡筒の後端に向けて突設されていることを特徴とする請求項１記載のレンズキャップまたは請求項２記載の撮影装置。
【請求項６】
前記基部は透明材料または半透明材料で形成されていることを特徴とする請求項１記載のレンズキャップまたは請求項２記載の撮影装置。
【請求項７】
前記蓋板は透明材料または半透明材料で形成されていることを特徴とする請求項１記載のレンズキャップまたは請求項２記載の撮影装置。
【請求項８】
前記蓋板は透明材料または半透明材料で形成され、前記基部が前記鏡筒の先端部に取着され前記蓋板が前記閉塞位置に位置した状態で前記撮影レンズに臨む前記蓋板本体箇所に撮影可能な形状または模様が形成されていることを特徴とする請求項１記載のレンズキャップまたは請求項２記載の撮影装置。
【発明の詳細な説明】
【０００１】
【発明の属する技術分野】
本発明はレンズキャップおよびレンズキャップを備える撮影装置に関する。
【０００２】
【従来の技術】
ビデオカメラなどの撮影装置の鏡筒には撮影レンズが配設されている。撮影レンズを塵埃などから保護するために、撮影を行なわないときには前記鏡筒の先端部にレンズキャップを取り付け、撮影を行なうときにレンズキャップを取り外すようにしている。
このようなレンズキャップ１０としては、例えば、特許文献１の第１図に示すように、レンズキャップ１０の外縁部分で１８０度対向する２箇所に半径方向に移動可能な２つの爪部１２を設け、各爪部１２を半径方向外方に付勢した構成のものが知られている。
前記レンズキャップ１０を鏡筒に取着する際には、前記２つの爪部１２を指で挟むことにより前記付勢に抗して半径方向内方に移動させ、この状態を保持したままでレンズキャップ１０を鏡筒先端に装着し各爪部の係止部１２ａを鏡筒内周面よりも内側に位置させる。そして、前記２つの爪部１２から指を離すと、前記付勢力により前記各爪部１２の係止部１２ａが前記鏡筒の内周面に係合することによりレンズキャップ１０が鏡筒に取り付けられる。
前記レンズキャップ１０を鏡筒から取り外す際には、前記２つの爪部１２を指で挟むことにより前記付勢に抗して半径方向内方に移動させることにより、前記各爪部１２の係止部１２ａと前記鏡筒の内周面との係合を解除し、この状態を保持したままでレンズキャップ１０を鏡筒先端から取り外す。
また、レンズキャップ１０と撮影装置とは、紐によって連結されており、これによりレンズキャップ１０の紛失を防止するようにしている。
【０００３】
【特許文献１】
特開平４−９４２７１号公報
【０００４】
【発明が解決しようとする課題】
しかしながら、上述した２つの爪部を用いて鏡筒に取着するレンズキャップにおいては次のような欠点があった。
１）レンズキャップを鏡筒の取り付ける際には、レンズキャップの２つの係合爪を鏡筒の先端部の内周に位置させなくてはならないため、レンズキャップと鏡筒の先端部の部分を注意深く視認しなくてはならず、かつ、レンズキャップの２つの爪部を指で挟んでいなければならない。したがって、レンズキャップ取付操作は面倒で時間がかかるものであった。
２）レンズキャップを鏡筒から取り外す際には、レンズキャップの２つの爪部を指で挟まなくてならないため、レンズキャップの爪部を注意深く視認しなくてはならない。したがって、レンズキャップ取り外し操作も面倒で時間のかかるものであった。
３）レンズキャップを紐で撮影装置に連結しているため、撮影時に撮影装置から紐を介してぶら下がって揺動するレンズキャップが邪魔になったり、下方を撮影する際に揺動するレンズキャップが撮影画面に入ってしまったり、揺動するレンズキャップが撮影装置にぶつかって不要な音がしたりする不具合があり、使い勝手が悪かった。
また、このような不都合をなくすためにレンズキャップを紐で撮影装置に連結しない場合にはレンズキャップを紛失するおそれがある。
本発明は、このような事情に鑑みてなされ、その目的とするところは、操作性に優れ、使い勝手のよいレンズキャップおよびこのようなレンズキャップを備えた撮影装置を提供することにある。
【０００５】
【課題を解決するための手段】
本発明は前記目的を達成するために、撮影装置の鏡筒内に配設された撮影レンズを保護するレンズキャップであって、前記鏡筒の先端部に着脱可能に取着される基部と、前記撮影レンズを覆う閉塞位置と前記撮影レンズを開放する開放位置との間を揺動できるように前記基部に連結された蓋板とを備え、前記基部は、前記鏡筒の先端部に取着される枠部と、前記枠部の一側に形成された基部側ヒンジ部と、前記枠部の他側に形成され前記枠部が前記鏡筒の先端部に取着された状態で前記鏡筒の外周面上で後端側に延在する凸片部と、前記凸片部に形成された第１係合部とを有し、前記蓋板は、前記撮影レンズを覆う形状の蓋板本体と、前記蓋板本体の一側に形成され前記基部側ヒンジ部に揺動可能に連結される蓋板側ヒンジ部と、前記蓋板本体が前記閉塞位置に揺動した状態で前記凸片部に対応する蓋板本体箇所に形成され前記鏡筒の半径方向の外方に突出する指掛け部と、前記指掛け部に形成され前記蓋板本体が前記閉塞位置に揺動した状態で前記第１係合部に係合する第２係合部とを有し、前記第１係合部と第２係合部は、前記開放位置から前記蓋板を揺動させ指により前記蓋板を前記全閉位置に押し込むことで係合し、前記全閉位置から前記蓋板を指により前記開放位置方向へ揺動させることにより係合が解除されるように構成され、前記蓋板は少なくとも前記開放位置において指により揺動できる程度の力で該蓋板の開度が保持されるように構成されていることを特徴とする。
また、本発明は、撮影レンズが配設された鏡筒と、前記撮影レンズを保護するレンズキャップとを備え、前記レンズキャップは、前記鏡筒の先端部に着脱可能に取着される基部と、前記撮影レンズを覆う閉塞位置と前記撮影レンズを開放する開放位置との間を揺動できるように前記基部に連結された蓋板とを備え、前記基部は、前記鏡筒の先端部に取着される枠部と、前記枠部の一側に形成された基部側ヒンジ部と、前記枠部の他側に形成され前記枠部が前記鏡筒の先端部に取着された状態で前記鏡筒の外周面上で後端側に延在する凸片部と、前記凸片部に形成された第１係合部とを有し、前記蓋板は、前記撮影レンズを覆う形状の蓋板本体と、前記蓋板本体の一側に形成され前記基部側ヒンジ部に揺動可能に連結される蓋板側ヒンジ部と、前記蓋板本体が前記閉塞位置に揺動した状態で前記凸片部に対応する蓋板本体箇所に形成され前記鏡筒の半径方向の外方に突する指掛け部と、前記指掛け部に形成され前記蓋板本体が前記閉塞位置に揺動した状態で前記第１係合部に係合する第２係合部とを有し、前記第１係合部と第２係合部は、前記開放位置から前記蓋板を揺動させ指により前記蓋板を前記全閉位置に押し込むことで係合し、前記全閉位置から前記蓋板を指により前記開放位置方向へ揺動させることにより係合が解除されるように構成され、前記蓋板は少なくとも前記開放位置において指により揺動できる程度の力で該蓋板の開度が保持されるように構成されていることを特徴とする。
そのため、レンズキャップを鏡筒に取着した状態で、蓋板を閉塞方向に揺動して蓋板の第２係合部の突起を基部の第１係合部に係合させることによって蓋板が閉塞位置に保持される。また、蓋板の指掛け部に指を掛けて蓋板の開放方向に力を加えることにより、蓋板の第２係合部と基部の第１係合部との係合を解除して蓋板を閉塞位置から開放位置に揺動させることで、撮影レンズの前方が開放され、開放された蓋板はその位置に留まる。
【０００６】
【発明の実施の形態】
次に、本発明の実施の形態について図面を参照して説明する。
図２、図３は本発明の第１の実施の形態の撮影装置の説明図で、図２はレンズキャップの蓋板を閉じた状態の撮影装置を斜め左前方から見た斜視図、図３はレンズキャップの蓋板を開いた状態の撮影装置を斜め右前方から見た斜視図である。なお、本実施の形態において、撮影装置１０の左右は該撮影装置１０を前方から見た状態でいうものとする。
本実施の形態では、撮影装置１０は動画データまたは静止画データを記録媒体に記録するデジタルビデオカメラであり、ケース１２を有している。
前記ケース１２の左側面と上面には、撮影の際に操作される複数の操作ボタン１４が配設されている。
前記ケース１２の右側面には、矩形板状のディスプレイ１６がヒンジ１７を介して揺動可能にかつ旋回可能に連結されている。前記ディスプレイ１６は、前記ケース１２の右側面に形成された収容凹部に収容される収容位置と、ディスプレイ１６の表示面１６０２が視認可能となるようにケース１６の右側面から起立された起立位置とに揺動されるように構成されている。
前記ケース１２の後面上部には、前記撮影レンズ２６によって撮影した被写体像がケース１２内部に設けられたディスプレイ（不図示）に表示されるファインダー部１８が配設されている。
前記ケース１２の前面の下方寄りの箇所には、音声を録音するためのマイク２０と、映像信号の入出力用コネクタ２２などが配設されている。
前記ケース１２の前面上部には、円筒状の鏡筒２４が前方に突設され、図３に示すように、前記鏡筒２４内には撮影レンズ２６が配設されている。
図９は鏡筒にレンズキャップが取着された状態の断面図を示す。
図９に示すように、前記鏡筒２４の外周面には、鏡筒２４の周方向に延在する環状溝２４０２が形成され、鏡筒２４の先端部の端面には環状の前端面２４０４が形成されている。
【０００７】
本発明のレンズキャップ２８は、前記撮影レンズ２６を保護するためのものであり、レンズキャップ２８は前記鏡筒２４の前端に着脱可能に取着されている。
図１はレンズキャップの斜視図である。
前記レンズキャップ２８は、前記鏡筒２４の先端部に着脱可能に取着される基部３０と、前記撮影レンズ２６を覆う閉塞位置と前記撮影レンズ２６を開放する開放位置との間を揺動できるように前記基部３０に連結された蓋板３２とを備えている。
【０００８】
図４（Ａ）は基部３０の正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥＥ線断面図、（Ｆ）は（Ａ）のＦＦ線断面図である。図５（Ｇ）は基部３０の背面図、（Ｈ）は（Ｇ）のＨ矢視図、（Ｉ）は（Ｇ）のＩＩ線断面図である。
図４、図５に示すように、前記基部３０は、前記鏡筒２４の先端部に取着される枠部３００２と、基部側ヒンジ部３００４と、凸片部３００６と、第１係合部３００８と、３つの係合片を有している。
前記基部３０は、透明または半透明の合成樹脂で形成されている。
前記枠部３００２は環板状に形成されている。前記枠部３００２の一方の面には、図４（Ｅ）、図５（Ｇ）、図９に示すように、前記鏡筒２４の前端面２４０４に当接する当接部３０１０が設けられている。
前記基部側ヒンジ部３００４は、図４（Ａ）、（Ｄ）に示すように、前記枠部３００２の一側に前記枠部３００２の周方向に間隔をおき枠部３００２の半径方向外方に突出する２つの膨出部３００４Ａ、３００４Ｂを含んで構成されている。
なお、図中３０１４は、前記一方の膨出部３００４Ａに隣接する枠部３００２の外縁箇所に設けられた吊り下げ用紐の紐通し孔を示す。
【０００９】
各膨出部３００４Ａ、３００４Ｂには、図４（Ｆ）に示すように、支軸３００１（図１）の両端を保持する孔部３００５が貫通して形成されている。
前記凸片部３００６は、図５（Ｇ）、（Ｈ）に示すように、前記基部側ヒンジ部３００４とは反対側の前記枠部３００２の他側に形成され、図３に示すように、前記枠部３００２が前記鏡筒２４の先端部に取着された状態で前記鏡筒２４の後端側に円弧状に突出するように形成されている。
前記凸片部３００６には、図１、図５（Ｈ）に示すように、該凸片部３００６の輪郭よりも一回り小さい輪郭の開口部３００７が形成されている。
前記第１係合部３００８は、前記開口部３００７の縁部のうち、前記基部３０が鏡筒２４に取着された状態で撮影装置１０の前方側に位置する縁部で構成されている。
【００１０】
前記係合片は本実施の形態では３つ設けられている。
前記３つの係合片のうちの２つの係合片３０１２は、図４（Ｂ）、（Ｃ）、図５（Ｇ）に示すように、前記２つの基部側ヒンジ部３００４が位置する各当接部３０１０箇所から、枠部３００２の軸心方向にほぼ平行して突設されている。より詳細には、前記２つの係合片３０１２は、前記当接部３０１０を鏡筒２４の前端面２４０４に当接させた状態で前記各当接部３０１０箇所から撮影装置１０の後方側に向けて突設されている。前記各係合片３０１２は、図９に示すように、前記当接部３０１０が前記鏡筒２４の前端面２４０４に当接した状態で先端の凸部３０１２Ａが前記環状溝２４０２に係合するように構成されている。
また、前記３つの係合片のうちの残りの１つの係合片３０１３は、図４（Ｂ）、（Ｃ）、図５（Ｇ）に示すように、前記凸片部３００６が位置する前記当接部３０１０箇所から、枠部３００２の軸心方向にほぼ平行して突設されている。より詳細には、前記係合片３０１３は、前記枠部３００２の周方向に延在し、前記当接部３０１０を鏡筒２４の前端面２４０４に当接させた状態で前記当接部３０１０箇所から撮影装置１０の後方側に向けて突設されている。前記係合片３０１３は、図９に示すように、前記当接部３０１０が前記鏡筒２４の前端面２４０４に当接した状態で先端の凸部３０１３Ａが前記環状溝２４０２に係合するように構成されている。
前記基部３０は、当接部３０１０を鏡筒２４の前端面２４０４に当接し、３つの係合片３０１２、３０１３の各凸部３０１２Ａ、３０１３Ａを環状溝２４０２に係合させることで鏡筒２４に取着されている。なお、本実施の形態では、レンズキャップ２８は、３つの係合片３０１２、３０１３の各凸部３０１２Ａ、３０１３Ａを環状溝２４０２に係合させることで鏡筒２４に取着されるので、レンズキャップ２８は、鏡筒２４の周方向において所望の姿勢で取着され、また、取着した後も鏡筒２４の周方向に旋回可能である。
【００１１】
図６（Ａ）は蓋板３２の正面図、（Ｂ）は（Ａ）のＢ矢視図、（Ｃ）は（Ａ）のＣ矢視図、（Ｄ）は（Ａ）のＤＤ線断面図、（Ｅ）は（Ｄ）のＥ部分の拡大図である。図７（Ｆ）は蓋板３２の背面図、（Ｇ）は（Ｆ）のＧ矢視図である。
前記蓋板３２は、蓋板本体３２０２と、蓋板側ヒンジ部３２０４と、指掛け部３２０６と、第２係合部３２０８とを有している。
前記蓋板３２は半透明または透明の合成樹脂で形成されている。
前記蓋板本体３２０２は、前記撮影レンズ２６を覆う形状、本実施の形態では円盤形状に形成されている。
前記蓋板ヒンジ部３２０４は、図６（Ａ）乃至（Ｄ）、図７（Ｆ）、（Ｇ）に示すように、前記蓋板本体３２０２の一側に、蓋板本体の周方向に延在しかつ蓋板本体３２０２の半径方向外方に突設されている。
前記蓋板ヒンジ部３２０４には軸受孔３２０５が貫通形成されている。
【００１２】
そして、図８（Ａ）、（Ｂ）、（Ｃ）、図９に示すように、前記蓋板ヒンジ部３２０４を前記基部側ヒンジ部３００４の両膨出部３００４Ａ、３００４Ｂの間に挿入し、この状態で前記各孔部３００５および前記軸受孔３２０５に支軸３００１が挿通され、これら孔部３００５、軸受孔３２０５、支軸３００１を介して蓋板３２は前記基部３０に揺動可能に連結されることになる。
これにより、前記基部３０が前記鏡筒２４の先端に取着された状態で、前記蓋板３２は、図２に示すように前記撮影レンズ２６を覆う閉塞位置と、前記撮影レンズ２６を開放する開放位置との間で揺動可能となる。
なお、前記蓋板本体３２０２の表面は、前記閉塞位置において前記撮影レンズ２６と反対側に位置する面により構成され、前記蓋板本体３２０２の裏面は、前記閉塞位置において前記撮影レンズ２６に臨む面により構成されている。
【００１３】
また、前記蓋板３２は少なくとも前記開放位置において指により揺動できる程度の力で該蓋板３２の開度が保持されるように構成されている。本実施の形態では、前記蓋板ヒンジ部３２０４と前記基部側ヒンジ部３００４とが連結されることで、前記蓋板３２はどのような開度位置でも指によって簡単に開閉できる程度の力によりその開度が維持されるように構成されている。
前記指掛け部３２０６は、前記蓋板本体３２０２が前記閉塞位置に揺動した状態で前記凸片部３００６に対応する蓋板本体３２０２箇所に形成されている。
本実施の形態では、前記指掛け部３２０６は、前記蓋板本体３２０２の外周から該蓋板本体３２０２の半径方向外方に円弧状に突出され、前記蓋板本体３２０２が前記閉塞位置に揺動した状態で前記指掛け部３２０６の先部が前記凸片部３００６よりも鏡筒２４の半径方向の外側に突出するように形成されている。
前記第２係合部３２０８は、前記指掛け部３２０６の裏面側から撮影装置１０の後方に向けて突設され、該第２係合部３２０８が前記第１係合部３００７に臨む箇所には突起３２０９が形成され、前記蓋板本体３２０２が前記閉塞位置に揺動した状態で前記突起３２０９が前記第１係合部３００８に係合するように構成されている。
【００１４】
以上のように構成されたレンズキャップ２８の作用について説明する。
前記レンズキャップ２８を鏡筒２４に取着する際には、前記基部３０の当接部３０１０を鏡筒２４の前端面２４０４に対向させるとともに、前記３つの係合片３０１２、３０１３を前記鏡筒２４の外周先端に対向させた状態で基部３０を鏡筒２４に向けて押し込むことにより、前記当接部３０１０が前記前端面２４０４に当接し、３つの係合片３０１２、３０１３の各凸部３０１２Ａ、３０１３Ａが前記環状溝２４０２に係合し、これによりレンズキャップ２８が鏡筒２４に取り付けられる。
そして、前記撮影装置１０の非撮影時には、図１０に示すように、蓋板３２を閉塞方向に揺動して前記蓋板３２の第２係合部３２０８の突起３２０９を前記基部３０の第１係合部３００８に係合させることによって蓋板３２が閉塞位置に保持される。これにより撮影レンズ２４は、蓋板３２で覆われて保護され塵埃の付着などが防止される。
撮影装置１０による撮影を行なう際には、図１１に示すように、前記蓋板３２の指掛け部３２０６に指を掛けて蓋板３２の開放方向に力を加えることにより、前記蓋板３２の第２係合部３２０８の突起３２０９と前記基部の第１係合部３００８との係合を解除して蓋板３２を閉塞位置から開放位置に揺動させることで、撮影レンズ２４の前方が開放される。そして、開放された蓋板３２はその位置に留まるように保持される。これにより撮影レンズ２４によって撮影が可能な状態となる。
また、前記レンズキャップ２８を鏡筒２４から取り外す際には、前記レンズキャップ２８の基部３０を掴んで前記鏡筒２４の先端から離間する方向に引っ張ることにより、前記基部３０の当接部３０１０を前記鏡筒２４の前端面２４０４から離間させ、前記３つの係合片３０１２、３０１３の各凸部３０１２Ａ、３０１３Ａと前記環状溝２４０２との係合を解除し、これによりレンズキャップ２８が鏡筒２４から取り外される。
【００１５】
以上説明したように、本実施の形態によれば、レンズキャップ２８が撮影装置１０の鏡筒２４に結合された状態で撮影を行なうことができるので、レンズキャップ２８を紛失するおそれがないにも拘わらず、撮影時に撮影装置から紐を介してぶら下がって揺動するレンズキャップが邪魔になったり、下方を撮影する際に揺動するレンズキャップが撮影画面に入ってしまったり、揺動するレンズキャップが撮影装置にぶつかって不要な音がしたりする不具合がなく使い勝手がよい。また、レンズキャップ２８の蓋板３２を揺動させるだけで蓋板３２の開閉を行なうことができるので、レンズキャップ２８の操作を簡単にする上で極めて有利である。
また、蓋板３２を閉塞位置から開放位置に揺動させる際には、鏡筒２４の外周面上にある基部３０の凸片部３００６を指で触ることにより凸片部３００６の位置を確認することができ、これにより該凸片部３００６に対応する位置に位置する蓋板３２の指掛け部３２０６に容易に指を掛けることができる。したがって、閉塞位置にある蓋板３２を開放する際に、従来と違ってレンズキャップ２８と鏡筒２４を注意深く視認する必要が無く、蓋板３２の開放操作を容易かつ確実に行なうことができるので、撮影を素早く開始する上で有利となる。
また、前記蓋板３２を開放位置から閉塞位置に揺動させる際には、蓋板３２を基部３０に向かって揺動させるのみでよい。したがって、開放位置にある蓋板３２を閉塞する際にも、従来と違ってレンズキャップ２８と鏡筒２４を注意深く視認する必要が無く、蓋板３２の閉塞操作を容易かつ確実に行なうことができるので、撮影終了時に撮影レンズ２４を保護する操作を素早く行なう上で有利となる。
また、レンズキャップ２８の鏡筒２４への取着は、基部３０の３つの係合部３０１２、３０１３が鏡筒２４の環状溝２４０２に係合することでなされるため、レンズキャップ２８の鏡筒２４への取付、取り外しを容易に行なうことができる。したがって、鏡筒２４の内周にフィルターなどを取り付ける際にレンズキャップ２８を取り外す操作を素早くかつ簡単に行なう上で有利となる。
【００１６】
言い換えれば、基部３０の凸片部３００６は鏡筒２４の環状溝２４０２に係合する凸部３０１３Ａを有し鏡筒３４の外周面に合わせた面を有するＵ字状の係合部であり、このＵ字状の内側に開口部３００７が形成されている。蓋板本体３２０４の蓋板側ヒンジ部３２０４の反対側の位置に形成された指掛け部３２０６から突出した半円状の第２係合部３２０８が図８に示すように前記開口部３００７に入り込み収まる構成となっている。
このような構成としたので、指で蓋板本体３２０４を開くときにはまずこのＵ字状の凸片部３００６の鏡筒２４の外周面に合わせた面を触れ、その延長にある指掛け部３２０６に指を移動させてこの指掛け部３２０６に指を掛けることで蓋板３２０４を開けることが可能となり、直接枠部３００２の角に指を触れることなく指掛け部３２０６に指がガイドされ、スムーズに蓋板本体３２０４を開くことができる。すなわち、凸片部３００６をＵ字状に構成したことにより、基部３０の鏡筒２４への係合と、指先の指掛け部３２０６へのガイドと、そして、第２係合部３２０８の開口部３００７への収納とを可能としたものである。
更にまた、フィルターやコンバージョンレンズを鏡筒２４に取り付けるときには、鏡筒２４の内側のねじ部に直接これらフィルターやコンバージョンレンズをねじ込む必要があるが、本実施の形態のレンズキャップ２８は、鏡筒２４の環状溝２４０２に係合するＵ字状の凸片部３００６を指先で強く動かして凸片部３００６の環状溝２４０２への係合を解除することによりレンズキャップ２８全体を鏡筒２４から簡単に取り外すことができ、前記フィルターやコンバージョンレンズの着脱を容易にかつ素早く行なう上で有利である。
【００１７】
また、本実施の形態では、レンズキャップ２８の基部３０、蓋板３２を透明または半透明な合成樹脂で形成したため、レンズキャップ２８がケース１２に比べて目立ちにくくなり、デザイン性を高める上で有利となる。
また、本実施の形態では、レンズキャップ２８の蓋板３２が透明または半透明であるため、蓋板３２が閉塞位置に位置していても、該蓋板３２を通過した光が撮影レンズ２４を介して撮像素子に至る。したがって、撮影装置１０が撮影モードにある場合には、蓋板３２を通過した光によって形成される不鮮明な被撮像物に対して撮影装置１０が合焦動作やホワイトバランス調整動作を行ない、焦点が合っていない不鮮明な画像を撮影してしまうおそれがある。そして、前記不鮮明な画像を見た撮影者は撮影装置１０が故障しているものと誤認するおそれがある。
このような不具合を防止するためには、蓋板３２が閉塞位置に位置した状態で撮影レンズ２４に臨む前記蓋板本体３２０２箇所に撮影可能な形状や模様を形成することが有効である。このような形状や模様として、例えば、しぼ（表面に形成された微細な凹凸）や模様などが挙げられる。
形状、模様としてしぼを採用した場合、蓋板３２が閉塞位置に位置した状態で撮影レンズ２４によって撮像がなされると、撮影装置１０は前記しぼの部分にピントを合わせて撮影を行うため、撮影者は蓋板本体３２のしぼが撮影されていることから、蓋板３２が閉塞位置にあった状態で撮影を行なったことを認識することができる。
また、蓋板３２が閉塞位置に位置した状態で撮影レンズ２４によって撮像可能な蓋板本体３２０２の部分にしぼを形成する代りに、蓋板３２が閉塞位置に位置した状態で撮影レンズ２４に臨む蓋板本体３２０２箇所に撮影可能な刻印を設けてもよい。この場合には、蓋板３２が閉塞位置に位置した状態で撮影レンズ２４によって撮像がなされると、撮影装置１０は前記刻印の部分にピントを合わせて撮影を行うため、撮影者は蓋板本体３２の刻印が撮影されていることから、蓋板３２が閉塞位置にあった状態で撮影を行なったことを認識することができる。
【００１８】
なお、本実施の形態では、撮影装置をデジタルビデオカメラとして説明したが、本発明は、これに限定されるものではなく、例えばデジタルスチルカメラ、フィルムカメラなど種々の撮影装置に適用可能である。
【００１９】
【発明の効果】
以上説明したように、本発明によれば、操作性に優れ、使い勝手のよいレンズキャップおよびこのようなレンズキャップを備えた撮影装置を提供することができる。
【図面の簡単な説明】
【図１】本発明のレンズキャップの斜視図である。
【図２】レンズキャップの蓋板を閉じた状態の撮影装置を斜め左前方から見た斜視図である。
【図３】レンズキャップの蓋板を開いた状態の撮影装置を斜め右前方から見た斜視図である。
【図４】（Ａ）は基部３０の正面図、（Ｂ）は（Ａ）のＢ矢視図、（Ｃ）は（Ａ）のＣ矢視図、（Ｄ）は（Ａ）のＤ矢視図、（Ｅ）は（Ａ）のＥＥ線断面図、（Ｆ）は（Ａ）のＦＦ線断面図である。
【図５】（Ｇ）は基部３０の背面図、（Ｈ）は（Ｇ）のＨ矢視図、（Ｉ）は（Ｇ）のＩＩ線断面図である。
【図６】（Ａ）は蓋板３２の正面図、（Ｂ）は（Ａ）のＢ矢視図、（Ｃ）は（Ａ）のＣ矢視図、（Ｄ）は（Ａ）のＤＤ線断面図、（Ｅ）は（Ｄ）のＥ部分の拡大図である。
【図７】（Ｆ）は蓋板３２の背面図、（Ｇ）は（Ｆ）のＧ矢視図である。
【図８】（Ａ）はレンズキャップの正面図、（Ｂ）は（Ａ）のＢ矢視図、（Ｃ）は（Ａ）のＣ矢視図である。
【図９】鏡筒にレンズキャップが取着された状態の断面図である。
【図１０】レンズキャップを閉塞する状態を示す図である。
【図１１】レンズキャップを開放した状態を示す図である。
【符号の説明】
１０……撮影装置、２４……鏡筒、２６……撮影レンズ、２８……レンズキャップ、３０……基部、３２……蓋板、３００２……枠部、３００４……基部側ヒンジ部、３００６……凸片部、３００８……第１係合部、３２０２……蓋板本体、３２０４……蓋板側ヒンジ部、３２０６……指掛け部、３２０８……第２係合部。
【図１】
2004205923.tif 000003
【図２】
2004205923.tif 000004
【図３】
2004205923.tif 000005
【図４】
2004205923.tif 000006
【図５】
2004205923.tif 000007
【図６】
2004205923.tif 000008
【図７】
2004205923.tif 000009
【図８】
2004205923.tif 000010
【図９】
2004205923.tif 000011
【図１０】
2004205923.tif 000012
【図１１】
2004205923.tif 000013